(57)【特許請求の範囲】
【請求項１】
セキュリティ状態が不十分な端末装置のネットワーク接続を防止するためのセキュリティ検査システムであって、
前記セキュリティ状態を検査される検査対象端末と、前記検査対象端末における前記セキュリティ状態を検査する検査端末と、を備え、
前記検査対象端末は、前記検査対象端末における検査対象情報を抽出する抽出手段と、
抽出された前記検査対象情報を２次元コードに変換し、前記検査対象端末の表示部に表示する表示手段と、を備え、
前記検査端末は、前記セキュリティ状態の基準を示す基準情報を記憶部に格納する基準情報登録手段と、
前記表示部に表示される２次元コードを読み取ることで、前記検査対象情報を取得する取得手段と、
取得した前記検査対象情報が、前記基準情報を満たすか否かを判定する判定手段と、を備えるセキュリティ検査システム。
【請求項２】
前記基準情報登録手段は、前記基準情報の項目別に任意の設定入力を受け付け、前記記憶部に格納する請求項１に記載のセキュリティ検査システム。
【請求項３】
前記検査対象端末を、前記抽出手段と、前記表示手段と、として機能させる抽出プログラムを格納する非一過性の抽出プログラム記録媒体を備える請求項１又は請求項２に記載のセキュリティ検査システム。
【請求項４】
前記検査対象情報の項目は、ＯＳのバージョン情報、セキュリティパッチの適用状況並びに、ウイルス対策ソフトのインストール状況、検索状況、パターンファイルの更新状況、スキャン状況の中から選択される少なくとも１つを有する請求項１〜請求項３の何れかに記載のセキュリティ検査システム。
【請求項５】
前記基準情報登録手段は、前記パターンファイルの更新状況および前記スキャン状況において、判定の基準となる基準日数の設定入力を受け付け、
前記判定手段は、検査日から基準日数の期間において、前記パターンファイルの更新またはスキャンが実行されたか否かを判定する請求項４に記載のセキュリティ検査システム。
【請求項６】
前記取得手段は、前記検査対象端末における検査に関する予約情報に基づいて生成される２次元コードを読み取ることで、前記予約情報を取得し、
前記判定手段による前記セキュリティ状態に関する判定結果と、前記予約情報と、を紐づけた検査結果レポートを出力する出力手段を備える請求項１〜請求項５の何れかに記載のセキュリティ検査システム。
【請求項７】
セキュリティ状態が不十分な端末装置のネットワーク接続を防止するためのセキュリティ検査方法であって、
前記セキュリティ状態を検査される検査対象端末が、前記検査対象端末における検査対象情報を抽出する抽出ステップと、
抽出された前記検査対象情報を２次元コードに変換し、前記検査対象端末の表示部に表示する表示ステップと、を実行し、
前記検査対象端末における前記セキュリティ状態を検査する検査端末が、前記セキュリティ状態の基準を示す基準情報を記憶部に格納する基準情報記憶ステップと、
前記表示部に表示される２次元コードを読み取ることで、前記検査対象情報を取得する取得ステップと、
前記基準情報に基づいて、取得した前記検査対象情報に関する前記セキュリティ状態が十分か否かを判定する判定ステップと、を実行するセキュリティ検査方法。
【発明の詳細な説明】
【技術分野】
【０００１】
本発明は、セキュリティ状態が不十分な端末装置のネットワーク接続を防止するためのセキュリティ検査システムおよび、セキュリティ検査方法に関する。
【背景技術】
【０００２】
コンピュータウイルスなどマルウェアに感染したコンピュータがネットワークに接続することで、同じネットワークに接続された他のコンピュータにマルウェアの感染が広がるリスクが存在する。
【０００３】
特許文献１では、企業等における内部システムにおけるセキュリティを確保するために、内部に持ち込まれる端末装置におけるセキュリティの管理条件を満たしているかを示す判断結果を端末装置に搭載されるＩＣタグに記録し、企業のゲートを通過する際に、ＩＣタグを読み取ることによって、セキュリティの管理条件を満たしていない端末装置の入場を制限するシステムが開示されている。
【０００４】
特許文献２では、端末装置に適正にインストールされているソフトウェアや正常にソフトウェアが動作する設定を検査基準情報として保持し、異常なトラフィックを発生させた端末装置に存在するソフトウェアを検出し、検出したソフトウェアと検査基準情報の内容を照合することで、マルウェアに関連する可能性が高いソフトウェアを特定する感染検査システムが開示されている。
【先行技術文献】
【特許文献】
【０００５】
【特許文献１】特開第２００９−１４０２８１号公報
【特許文献２】特開第２０１２−１４３２０号公報
【発明の概要】
【発明が解決しようとする課題】
【０００６】
しかしながら、特許文献１に記載のシステムは、端末装置におけるセキュリティの管理条件を検査するために予めＩＣタグに情報を記録する必要があり、またＩＣタグを備えない管理外の端末装置に対してはセキュリティの検査をすることはできなかった。
【０００７】
特許文献２に記載のシステムは、マルウェアに感染した可能性のある端末装置において検体抽出プログラムを実行させることで、ソフトウェアに関する情報を抽出する実施形態が開示されている。一方、マルウェアに感染した端末装置は、プログラムを正常に実行できず、誤った検査結果を出力するリスクがあった。
【０００８】
また、特許文献２の異なる実施例として、マルウェアに感染した可能性のある端末装置に対して、検査端末が近距離無線通信によりソフトウェアに関する情報を取得する実施例が開示されている。一方、マルウェアに感染した可能性のある端末装置と通信することはセキュリティの観点から好ましくない。
【０００９】
また、特許文献２に記載される検査方法では、マルウェアに感染した可能性のある端末装置を検出し、当該端末装置の検査を行うが、マルウェアへの感染を未然に防止するものではなかった。
【００１０】
本発明は、上述したような課題に鑑みてなされたものであって、安全かつ効率よく端末装置におけるセキュリティ状態を検査し、セキュリティ状態が不十分な端末装置のネットワーク接続を防止するためのセキュリティ検査システムおよび、セキュリティ検査方法を提供することを解決すべき課題とする。
【課題を解決するための手段】
【００１１】
上述した課題を解決するために、本発明は、セキュリティ状態が不十分な端末装置のネットワーク接続を防止するためのセキュリティ検査システムであって、前記セキュリティ状態を検査される検査対象端末と、前記検査対象端末における前記セキュリティ状態を検査する検査端末と、を備え、前記検査対象端末は、前記検査対象端末における検査対象情報を抽出する抽出手段と、抽出された前記検査対象情報を２次元コードに変換し、前記検査対象端末の表示部に表示する表示手段と、を備え、前記検査端末は、前記セキュリティ状態の基準を示す基準情報を記憶部に格納する基準情報登録手段と、前記表示部に表示される２次元コードを読み取ることで、前記検査対象情報を取得する取得手段と、取得した前記検査対象情報が、前記基準情報を満たすか否かを判定する判定手段と、を備える。
【００１２】
このような構成とすることで、検査対象端末をネットワークに接続することなく、検査対象端末におけるセキュリティ状態に関する検査対象情報がセキュリティ状態の基準を満たすか否かを判定することができる。また、セキュリティ状態に異常のない検査端末において、検査対象端末のセキュリティ状態の判定を行うことができる。
【００１３】
本発明の好ましい形態では、前記基準情報登録手段は、前記基準情報の項目別に任意の設定入力を受け付け、前記記憶部に格納する。
このような構成とすることで、検査対象項目に関する基準情報の設定を検査端末において簡便に入力することができる。
【００１４】
本発明の好ましい形態では、前記検査対象端末を、前記抽出手段と、前記表示手段と、として機能させる抽出プログラムを格納する抽出プログラム記録媒体を備える。
このような構成とすることで、検査対象端末において検査対象情報の抽出および表示のみを実行させることができ、検査対象端末のハードウェア性能差による処理速度の影響を最小限に抑えて、検査端末において判定処理を実行することができる。
【００１５】
本発明の好ましい形態では、前記検査対象情報の項目は、ＯＳのバージョン情報、セキュリティパッチの適用状況並びに、ウイルス対策ソフトのインストール状況、検索状況、パターンファイルの更新状況、スキャン状況の中から選択される少なくとも１つを有する。
このような構成とすることで、マルウェアに感染している可能性のある検査対象端末または、マルウェアに感染するリスクが高い検査対象端末を判定するために適した検査対象項目を設定することができる。
【００１６】
本発明の好ましい形態では、前記基準情報登録手段は、前記パターンファイルの更新状況および前記スキャン状況において、判定の基準となる基準日数の設定入力を受け付け、前記判定手段は、検査日から基準日数の期間において、前記パターンファイルの更新またはスキャンが実行されたか否かを判定する。
このような構成とすることで、マルウェアに感染している可能性のある検査対象端末または、マルウェアに感染するリスクが高い検査対象端末を判定するために適した基準情報を設定し、判定することができる。
【００１７】
本発明の好ましい形態では、前記取得手段は、前記検査対象端末における検査に関する予約情報に基づいて生成される２次元コードを読み取ることで、前記予約情報を取得し、前記判定手段による前記セキュリティ状態に関する判定結果と、前記予約情報と、を紐づけた検査結果レポートを出力する出力手段を備える。
このような構成とすることで、予約情報と判定結果が紐づけられた検査結果レポートによってネットワークに接続される検査対象端末を好適に管理することができる。
【００１８】
本発明は、セキュリティ状態が不十分な端末装置のネットワーク接続を防止するためのセキュリティ検査方法であって、前記セキュリティ状態を検査される検査対象端末が、前記検査対象端末における検査対象情報を抽出する抽出ステップと、抽出された前記検査対象情報を２次元コードに変換し、前記検査対象端末の表示部に表示する表示ステップと、を実行し、前記検査対象端末における前記セキュリティ状態を検査する検査端末が、前記セキュリティ状態の基準を示す基準情報を記憶部に格納する基準情報記憶ステップと、前記表示部に表示される２次元コードを読み取ることで、前記検査対象情報を取得する取得ステップと、前記基準情報に基づいて、取得した前記検査対象情報が十分か否かを判定する判定ステップと、を実行する。
【発明の効果】
【００１９】
本発明によれば、安全かつ効率よく端末装置におけるセキュリティ状態を検査し、セキュリティ状態が不十分な端末装置のネットワーク接続を防止するためのセキュリティ検査システムおよび、セキュリティ検査方法を提供することができる。
【図面の簡単な説明】
【００２０】
【図１】本実施形態におけるセキュリティ検査システムの構成図を示す。
【図２】本実施形態における検査対象端末および検査端末のハードウェア構成図を示す。
【図３】本実施形態における検査対象情報の抽出処理に関するフローチャートを示す。
【図４】本実施形態における抽出結果画面の画面表示例を示す。
【図５】本実施形態における基準情報の概要を示す。
【図６】本実施形態における予約情報入力画面の画面表示例を示す。
【図７】本実施形態における検査端末における処理フローチャートを示す。
【発明を実施するための形態】
【００２１】
以下、図面を用いて、本発明の実施形態に関するセキュリティ検査システムについて説明する。なお、以下に示す実施形態は本発明の一例であり、本発明を以下の実施形態に限定するものではなく、様々な構成を採用することもできる。
【００２２】
本実施形態では、検査端末、検査対象端末および、セキュリティソフト提供サーバを含むセキュリティ検査システムの構成、動作などについて説明するが、同様の構成のプログラムおよびプログラム記録媒体も同様の作用効果を奏する。本実施形態において、セキュリティ検査システムは、検査対象端末に対して抽出プログラムをインストール可能な抽出プログラム記録媒体を備える。また、セキュリティ検査システムは、検査端末に対して検査プログラムをインストール可能な検査プログラム記録媒体を更に備えてもよい。以下で説明する本実施形態に係る一連の処理は、コンピュータで実行可能なプログラムとして提供され、ＣＤ−ＲＯＭやフレキシブルディスクなどの非一過性コンピュータ可読記録媒体、更には通信回線を経て提供可能である。なお、検査端末または検査対象端末は、各プログラム記録媒体が接続された状態で各プログラムを実行してもよい。
【００２３】
セキュリティ検査システムの各手段と、セキュリティ検査方法の各ステップと、は同様の作用効果を奏する。セキュリティ検査システム、検査プログラム、抽出プログラムのそれぞれにおける各手段および、セキュリティ検査方法の各ステップは、ＣＰＵなどの演算装置により実現される。
【００２４】
本実施形態において、セキュリティ検査システムは、企業や自治体、研究機関など（以下、特定施設とする）において、外部より持ち込まれる端末装置におけるセキュリティ状態を検査する用途で用いられる。特定施設において、ＬＡＮ（Local Area Network）やイントラネットが構築され、特定施設で使用される各種コンピュータが当該ネットワークに接続されている。このようなネットワークに対してコンピュータウイルスなどに感染した端末装置が接続されると、ネットワークに接続された他のコンピュータにウイルスが広がる恐れがある。また、ウイルス対策ソフトが正常に動作していないコンピュータ装置がネットワークに接続した場合、コンピュータウイルス等が当該コンピュータ装置にダウンロードされても検出されず、ウイルスが拡がるリスクも存在する。本発明は、特定施設に持ち込まれる端末装置がネットワークに接続する前に、ウイルスに感染している恐れのある端末装置、または、ネットワーク接続後に感染する恐れのある端末装置におけるセキュリティ状態を検査し、セキュリティ状態が十分でない端末装置のネットワーク接続を防止する目的で使用される。
【００２５】
図１は、本実施形態に係るセキュリティ検査システム１の機能ブロック図を示す。セキュリティ検査システム１は、特定施設に持ち込まれ、セキュリティ状態の検査を受ける検査対象端末２と、検査対象端末２におけるセキュリティ状態の検査処理を実行する検査端末３と、検査対象端末２に挿入されることで、検査対象端末２にセキュリティに関する情報を抽出する処理等を実行可能にする抽出プログラムを格納する抽出プログラム記録媒体４と、を備える。なお、本実施形態において、図１におけるネットワークＮＷは、ＬＡＮやイントラネットとして構成される。検査端末３は、ネットワークＮＷを介して、ウイルス対策ソフトやＯＳのアップデート情報を取得可能に構成されている。
【００２６】
また、検査端末３は、ネットワークＮＷを介して接続可能なデータベースとしての記憶部ＤＢ５を備える。記憶部ＤＢ５は、後に詳述する予約情報を格納する入場管理情報記憶部５１と、基準情報を格納する基準情報記憶部５２と、を少なくとも備える。記憶部ＤＢ５は、例えば、図示しないサーバ装置が備え、サーバ装置がネットワークＮＷに接続する構成であってもよい。また、検査端末３が、記憶部ＤＢ５を備える構成であってもよい。また、検査端末３は、後に詳述する検査処理を実行する前に、基準情報記憶部５２より自身の補助記憶装置等に格納しておくことが好ましい。
【００２７】
検査対象端末２は、機能構成要素として、検査対象情報を抽出する抽出手段４１と、２次元コードを表示する表示手段４２と、を備える。検査端末３は、機能構成要素として、検査対象項目別のセキュリティに関する基準情報を設定する基準情報登録手段３０１と、検査対象端末２より検査対象情報を取得する取得手段３０２と、基準情報に基づいて検査対象端末２における検査対象情報を判定する判定手段３０３と、出力手段３０５と、を備える。
【００２８】
図２（ａ）は、本実施形態に係る検査対象端末２のハードウェア構成図を示す。検査対象端末２は、演算装置（ＣＰＵ）２１と、作業用メモリとしての主記憶装置（ＲＡＭ）２２と、ＨＤＤやＳＳＤ、フラッシュメモリ等の補助記憶装置２３と、外部の装置と通信するための通信装置２４と、キーボードやマウス、タッチパネル等の入力装置２５と、ディスプレイ等の表示部２６と、各構成部を接続するバス２７と、を備えた一般的なコンピュータ装置を利用することができ、コンピュータ装置としてスマートフォンやタブレット端末、ＰＣ（Personal Computer）等を用いることができる。また、補助記憶装置２３は、オペレーティングシステム（ＯＳ）２８と、ＯＳ２８と協働してその機能を発揮する抽出プログラム２９と、各種情報（データを含む）などとを記憶している。
【００２９】
図２（ｂ）は、本実施形態に係る検査端末３のハードウェア構成図を示す。検査端末３は、検査対象端末２と同様のハードウェア構成を備え、ＰＣ等の一般的なコンピュータ装置を用いることができる。補助記憶装置３３は、ＯＳ３８と、ＯＳと協働してその機能を発揮する検査プログラム３９と、各種情報などとを記憶している。なお、入力装置３５は、バーコードやＱＲコード（登録商標）等の２次元コードを読み取る２次元コード読取装置を備え、ＩＣチップを有する入館証を読み取る入館証読取装置などを更に備えてもよい。出力装置３６は、ディスプレイ等の表示部を備え、検査結果を印刷する印刷装置、検査結果に応じてＬＥＤライト等の点灯／点滅による警告信号または、ブザー等による警告音を出力する警告装置などを更に備えてもよい。
【００３０】
抽出プログラム記録媒体４は、抽出プログラム２９と、検査対象項目と、を格納し、検査対象端末２におけるバス２７に接続されることで、抽出プログラム２９を検査対象端末２のメモリ領域に展開させることができる。検査対象項目は、検査対象端末２において検査対象となるセキュリティ項目に関する情報を示し、検査対象情報は、検査対象端末２が検査対象項目として有するデータを示す。抽出プログラム２９は、検査対象端末２を、検査対象情報を抽出する抽出手段４１と、抽出された検査対象情報を２次元コードに変換し、表示部２６に表示する表示手段４２と、として機能させる。なお、検査対象端末２は、予め抽出プログラム２９と検査対象項目とを、ネットワークを介してダウンロードすることで取得する構成としてもよい。抽出プログラム記録媒体４は、例えば、ＵＳＢメモリやＣＤ−ＲＯＭ等の非一過性コンピュータ可読記録媒体として構成される。抽出プログラム記録媒体４は、検査対象端末２を特定施設に持ち込む際に、検査対象端末２に接続される。
【００３１】
検査対象項目は、抽出プログラム記録媒体４の識別情報と、検査日時と、コンピュータ名と、ＯＳのバージョン情報と、ＯＳのセキュリティパッチの適用状況と、ウイルス対策ソフトのインストール状況と、リアルタイム検索機能の適用状況と、パターンファイル更新状況と、スキャン状況などと、を含む。検査対象項目は、上述した項目の中から選択される少なくとも１つ以上を含む。また、検査対象項目は、上述した項目に限定されず、コンピュータ装置におけるセキュリティ状態の判断に用いられる項目や、コンピュータ装置を正常に動作するための設定が含まれてもよい。検査対象項目は、図示しない検査対象項目設定装置によって任意の項目および項目数が設定され、抽出プログラム記録媒体４に格納される。検査対象項目は、例えば、当該特定施設におけるセキュリティの強度に応じて任意の項目が設定されてもよい。なお、本実施形態において、検査対象項目は、セキュリティ検査の基準となるパラメータ設定等は含まないため、例えば、ＯＳのバージョン情報やパターンファイルの更新状況等に対応するための抽出プログラム２９および検査対象項目の更新を最小限に抑えることができる。
【００３２】
図３は、抽出プログラム記録媒体４が接続された検査対象端末２における検査対象情報の抽出処理のフローチャートを示す。検査対象端末２は、抽出プログラム記録媒体４が接続されることで、ステップＳ１１の処理を開始する。検査対象端末２は、例えば、特定施設等に検査対象端末２が持ち込まれた際に、抽出プログラム記録媒体４を接続され、処理を開始するが、接続されるタイミングや場所に特に制限はない。また、検査対象端末２は、ステップＳ１８の処理を実行後、抽出プログラム記録媒体４の接続が解除されることで、検査対象端末２における処理を終了する。
【００３３】
検査対象端末２は、抽出プログラム２９を起動し（ステップＳ１１）、検査対象情報の抽出処理を実行する（ステップＳ１２−Ｓ１６）。ここで、ステップＳ１２−Ｓ１６の順序に特に制限はなく、順序がそれぞれ入れ替わってもよい。
【００３４】
抽出手段４１は、検査対象端末２におけるＯＳの名称およびバージョンを含むＯＳバージョン情報と、セキュリティパッチの適用状況を抽出する（ステップＳ１２）。セキュリティパッチの適用状況は、ＯＳの不具合を解消するために配布される特定の更新プログラムのＩＤや番号が検査対象端末２において適用されているか否かを示す情報であり、ＯＳ２８において管理されるＯＳのインストール情報に基づいて抽出される。例えば、ＯＳがＷｉｎｄｏｗｓ（登録商標）の場合、更新プログラムにはＫＢ番号が付与されている。抽出手段４１は、更新日時が最新である更新プログラムを、セキュリティパッチの適用状況として少なくとも抽出する。なお、セキュリティパッチの適用状況は、更新プログラムの最終更新日であってもよい。
【００３５】
抽出手段４１は、検査対象端末２におけるウイルス対策ソフトのインストール状況を抽出する（ステップＳ１３）。インストール状況は、ウイルス対策ソフトのインストールの有無および、インストールされるウイルス対策ソフトの名称を少なくとも含む。なお、抽出手段４１は、インストール状況としてウイルス対策ソフトのインストール無しとの情報を抽出した場合、続くステップＳ１４−Ｓ１６を省略してもよい。
【００３６】
抽出手段４１は、ウイルス対策ソフトのリアルタイム検索機能の適用状況を抽出する(ステップＳ１４)。リアルタイム検索機能は、補助記憶装置２３にファイルが格納されたとき、当該ファイルがコンピュータウイルスであるか否かを判定する機能である。リアルタイム検索機能は、ウイルス対策ソフトをインストールした検査対象端末２においてＯＮ／ＯＦＦ設定が可能であり、抽出手段４１は、そのＯＮ／ＯＦＦ設定を抽出する。
【００３７】
抽出手段４１は、ウイルス対策ソフトのパターンファイル更新状況を抽出する（ステップＳ１５）。パターンファイルは、コンピュータウイルスにおいて使用される特有のプログラムコード等、コンピュータウイルスを特定するためのデータが記録されたファイルである。パターンファイルは、ウイルス対策ソフトにおいて、対象となるファイルとの照合によってコンピュータウイルスを特定される際に用いられる。ウイルス対策ソフトを提供する会社は、新種のコンピュータウイルスに対応したパターンファイルの更新データを定期的に配布している。パターンファイル更新状況は、検査対象端末２が当該ウイルス対策ソフトのパターンファイルの最終更新日を示す。また、パターンファイル更新状況は、更新データのファイル名、ファイルＩＤ、ファイル番号などであってもよい。
【００３８】
抽出手段４１は、ウイルス対策ソフトのスキャン実施状況を抽出する（ステップＳ１６）。スキャン実施状況は、ウイルス対策ソフトにおいてコンピュータウイルス等を検索、特定、排除するウイルススキャンを実施した最終スキャン日を示す。なお、スキャン実施状況は、ウイルススキャンの実施範囲（ファイル、フォルダ等）、使用したスキャンエンジン、スキャン方法（静的／動的ヒューリスティックスキャン等）を更に含んでもよい。
【００３９】
表示手段４２は、ステップＳ１２−Ｓ１６において抽出された検査対象情報を２次元コードに変換する処理を実行する（ステップＳ１７）。２次元コードは、ＱＲコード（登録商標）、ＤａｔａＭａｔｒｉｘ（登録商標）など検査対象情報のデータ容量を表示可能なものであれば種類に制限はない。
【００４０】
表示手段４２は、抽出された検査対象情報と、検査対象情報が変換された２次元コードと、を含む抽出結果画面Ｗ１を、表示部２６に表示する（ステップ１８）。図４は、抽出結果画面Ｗ１の画面表示例を示す。抽出結果画面Ｗ１は、抽出された検査対象情報を表示する検査対象情報表示部Ｗ１１と、ステップＳ１７において変換された２次元コードを表示する２次元コード表示部Ｗ１２と、抽出プログラム２９を終了する際に押下される終了ボタンＷ１３と、を備える。
【００４１】
続いて、検査対象端末２より検査対象情報を取得し、検査を実施する検査端末３における事前処理について説明する。
【００４２】
事前処理として、検査端末３の基準情報登録手段３０１は、特定施設において持ち込みを許可する検査対象端末２のセキュリティ状態の基準情報の設定入力を受け付け、基準情報記憶部５２に格納する。基準情報は、検査対象項目と対応する項目を有し、それぞれの項目に対して任意のセキュリティ条件が設定された情報である。基準情報は、検査対象端末２が持ち込まれる特定施設におけるセキュリティ強度に応じて任意に設定される。
【００４３】
図５は、基準情報において設定される項目と、項目に対して設定されるセキュリティ条件（Ａ）〜（Ｆ）の例を示す。
（Ａ）ＯＳバージョン情報は、特定施設内に持ち込みを許可するＯＳの名称およびバージョンまたは、不許可とするＯＳの名称およびバージョンが設定される。
（Ｂ）ＯＳセキュリティパッチ適用状況は、持ち込みを許可するＯＳセキュリティパッチの更新プログラムのＩＤや番号が設定される。なお、セキュリティパッチの最終更新日から検査日までの日数が設定され、設定された日数を超過した場合、持ち込みを不許可としてもよい。
（Ｃ）ウイルス対策ソフトのインストール状況は、ウイルス対策ソフトがインストールされていない場合、持ち込みを許可するか、不許可とするかが設定される。また、インストールされるウイルス対策ソフトの名称によって、持ち込みを不許可とする設定がされてもよい。
（Ｄ）リアルタイム検索機能の適用状況は、ウイルス対策ソフトのリアルタイム検索機能がＯＮの場合のみ持ち込みを許可するか、ＯＦＦの場合であっても持ち込みを許可するかが設定される。
（Ｅ）パターンファイル更新状況は、パターンファイルの最終更新日から検査日までの日数（基準日数）が設定され、設定された日数を超過した場合、持ち込みを不許可とする。なお、パターンファイル更新状況によって持ち込みを制限しない場合、例えば、日数を０日に設定すればよい。また、パターンファイル更新状況は、更新データのファイル名、ＩＤ、番号などを設定し、設定された更新データがない場合、持ち込みを不許可としてもよい。
（Ｆ）スキャン実施状況は、ウイルススキャンの最終実施日から検査日までの日数（基準日数）が設定され、設定された日数を超過した場合、持ち込みを不許可とする。なお、持ち込みを許可するウイルススキャンの実施範囲、スキャンエンジン、スキャン方法が設定されてもよい。
【００４４】
基準情報登録手段３０１は、図５に示した項目から選択される１以上について基準情報の入力を受け付け可能に構成され、必ずしもすべての項目に対して基準情報の設定入力を受け付ける必要はない。
【００４５】
本実施形態において、検査対象端末２を特定施設に持ち込む持込担当者は、事前に検査対象端末２の持ち込みに関する持込予約を、特定施設における受入担当者に対して申請する。受入担当者は、持込担当者から持込予約の申請を受けると、予約情報入力画面Ｗ２を表示させるための情報を持込担当者に対して通知する。このとき、受入担当者が所有する検査端末３は、基準情報記憶部５２に格納された基準情報を併せて持込担当者に通知する構成とすることが好ましい。このような構成とすることで、持込担当者は、通知された基準情報に提示されるセキュリティ状態を満たすため、ウイルススキャンなどの処理を検査対象端末２に予め実行させることができる。
【００４６】
予約情報入力画面Ｗ２は、例えば、画面表示プログラムを格納するファイルとして持込担当者の所有する検査対象端末２に対して通知され、検査対象端末２は、画面表示プログラムを実行することで、予約情報入力画面Ｗ２を介して予約情報を入力する。また、予約情報入力画面Ｗ２は、例えば、インターネット上のウェブサイトであって、当該ウェブサイトのＵＲＬ等として持込担当者の所有する検査対象端末２に対して通知され、検査対象端末２は、ウェブサイトにアクセスすることで、予約情報入力画面Ｗ２を介して予約情報を入力する。なお、予約情報入力画面Ｗ２は、持込担当者の所有する端末装置等の何れによって表示されてよく、検査対象端末２に限定されない。
【００４７】
図６は、本実施形態における予約情報入力画面Ｗ２の画面表示例を示す。予約情報入力画面Ｗ２は、予約情報の入力を受け付ける予約情報入力部Ｗ２１と、予約情報入力部Ｗ２１を介して入力された予約情報を出力する際に押下される出力ボタンＷ２２と、予約情報の出力として２次元コードを表示する２次元コード表示部Ｗ２３と、を備える。
【００４８】
予約情報入力部Ｗ２１は、持込担当者より予約情報の入力を受け付ける。出力ボタンＷ２２が押下されると、予約情報入力部Ｗ２１に入力された予約情報は、２次元コードに変換され、２次元コード表示部Ｗ２３に表示される。また、検査対象端末２は、出力ボタンＷ２２が押下されることで、無線通信等により接続された印刷装置に対して当該２次元コードを印刷する指示を送信し、２次元コードを印刷できる。検査対象端末２は、出力ボタンＷ２２が押下されることで、予約情報を検査対象端末２の記憶装置に格納する。持込担当者は、持込予約した検査対象端末２の検査を受ける際、印刷された２次元コードまたは、２次元コード表示部Ｗ２２を提示することで、検査時の各種情報を入力する手間を削減できる。
【００４９】
本実施形態において、予約情報は、案件名、持込担当者名、持込会社、受入担当者名、受入部署などが含まれる。なお、予約情報はこれに限定されず、管理番号、持込日時、持込目的、持込端末情報などが更に含まれてもよい。予約情報は、当該持込予約を特定するためのＩＤ情報などが付与される。なお、予約情報は、複数の検査対象端末２の持込予約を含むことができる。
【００５０】
予約情報入力画面Ｗ２を介して入力された予約情報は、事前に入場管理情報記憶部５１に格納される構成としてもよい。また、検査端末３は、予約情報入力画面Ｗ２を介して、予約情報を入力し、出力された２次元コードを持込担当者の所有する検査対象端末２に通知する構成としてもよい。
【００５１】
図７は、検査端末３が、特定施設に持ち込まれる検査対象端末２に対して行うセキュリティ検査の処理フローチャートを示す。
【００５２】
基準情報登録手段３０１は、事前処理として基準情報の登録を受け付け、基準情報記憶部５２に格納する（ステップＳ２１）。
【００５３】
取得手段３０２は、持ち込まれる検査対象端末２における検査に関する予約情報に基づいて生成された２次元コードを読み取ることで、予約情報を取得する（ステップＳ２２）。なお、取得手段３０２は、直接入力によって予約情報を取得してもよい。検査端末３の入力装置３５は、２次元コード読取装置として構成され、ディスプレイや紙媒体等により提示される２次元コードを読み取り、デコード処理することで２次元コードに含まれる元の情報が得られる。本実施形態では、受入担当者は、持込担当者が予め印刷した２次元コードまたは、２次元コード表示部Ｗ２２に表示した２次元コードを使用することで、予約情報の入力を簡略化できる。また、入場管理情報記憶部５１が事前に予約情報を格納する場合、適正に持込予約された検査対象端末２であることが判別できる。
【００５４】
検査対象端末２は、特定施設に持ち込まれ、抽出プログラム記録媒体４と接続されることで、図３に示した抽出処理を実行し、表示部２６に検査対象情報に基づいて生成された２次元コードを表示させる。ステップＳ２２において、予約情報が正常に取得された場合、取得手段３０２は、表示部２６に表示される２次元コードを読み取ることで、検査対象端末２における検査対象情報を取得する（ステップＳ２３）。
【００５５】
なお、入場管理情報記憶部５１が事前に予約情報を格納する場合、判定手段３０３は、ステップＳ２２で取得される予約情報と、入場管理情報記憶部５１に格納される予約情報と、を照合し、照合結果が一致する場合、続くステップＳ２３における処理を許可し、照合結果が一致しない場合、ステップＳ２３における処理を不許可としてもよい。
【００５６】
検査端末３は、取得した検査対象情報を一覧に画面表示する。ここで、表示される画面は、抽出結果画面Ｗ１と同様であってもよい。なお、ここで表示される検査対象情報は、画面を確認しながら、入力、変更、削除されてもよい。受入担当者による検査対象情報の確認後、検査端末３は、受入担当者より検査指示の入力を受け付け、検査処理を実行する（ステップＳ２４）。
【００５７】
判定手段３０３は、取得手段３０２により取得された検査対象情報が、基準情報登録手段３０１により格納された基準情報を満たすか否かを判定する（ステップＳ２５）。判定手段３０３は、項目別の検査対象情報が、対応する全ての項目の基準情報を満たす場合、セキュリティが十分であるとしてＯＫ判定とする（ステップＳ２５においてＹＥＳ）。一方、判定手段３０３は、項目別の検査対象情報が、対応する項目別の基準情報を一つでも満たさない場合、セキュリティが不十分であるとしてＮＧ判定とする（ステップＳ２５においてＮＯ）。なお、判定手段３０３は、検査対象情報が、基準情報に対して任意に設定された項目数（例えば１項目）のみ満たさない場合、ＯＫ判定とするよう設定可能に構成されてもよい。また、その際、必ず満たすべき項目を設定可能に構成されることが好ましい。
【００５８】
ＯＫ判定の場合、出力手段３０５は、検査対象端末２の持ち込みを許可することを示す検査結果ファイルを出力し、入場管理情報記憶部５１に格納する（ステップＳ２６）。入場管理情報記憶部５１は、検査対象端末２における検査対象情報と、検査対象情報の項目別の判定結果と、予約情報と、を紐づけて検査結果ファイルとして格納する。出力手段３０５は、検査結果ファイルに基づいて検査結果レポートを生成し、出力する。検査結果レポートは、検査端末３においてレポート画面（図示せず）として表示され、例えば、企業別、持込日別、検査結果別に表示可能とする。検査結果レポートは、予約情報が登録されていない検査対象端末２に関する判定結果を判別可能に表示する。検査結果レポートは、基準情報と異なるセキュリティ条件による判定結果を表示してもよい。受入担当者は、検査結果レポートを参照することで、ＯＫ判定の検査対象端末２に関する情報が一覧で表示され、特定施設内に何台の検査対象端末２が持ち込まれたか、それらのセキュリティ状態はどの程度かなど確認し、管理することができる。出力手段３０５は、ＯＫ判定の検査結果ファイルに基づいて、入場許可証を出力してもよい。入場許可証は、例えば、２次元コードとして出力され、印刷装置によって紙媒体に印刷されて発行されるか、または、ＩＣカードのような電子媒体に記録され、発行されてもよい。入場許可証は、例えば、特定施設内の入場ゲートにおける電子錠の開錠に使用することができる。
【００５９】
ＮＧ判定の場合、出力手段３０５は、検査対象端末２の持ち込みを不許可とすることを示す検査結果ファイルを出力し、入場管理情報記憶部５１に格納する（ステップＳ２７）。出力手段３０５は、ステップＳ２６同様に検査結果レポートを生成し、出力する。ＮＧ判定の検査結果レポートは、基準情報を満たさなかった検査対象情報の項目を判別可能に出力する。出力手段３０５は、ＮＧ判定であり、出力装置３６が警告装置として構成される場合、例えば、ＬＥＤライトを赤色に点灯し、ブザーから警告音を発するなど警告信号を出力する。なお、ＯＫ判定の場合、ＬＥＤを青色に点灯させるなど、検査結果に応じて出力を変化させることが好ましい。
【００６０】
本実施形態において、検査結果レポートは、特定施設内に持ち込まれた検査対象端末２を判別可能に表示する。検査対象端末２が特定施設から持ち出される場合、検査結果レポートは、例えば、レポート画面を介してステータスが変更されることで、特定施設内に存在する検査対象端末２の数などを管理することができる。出力手段４０５は、変更されたステータスに応じた検査結果レポートを出力する。また、取得手段３０２は、２次元コードを読み取り予約情報を再度取得することで、上述のステータスを変更する構成としてもよい。
【００６１】
ステップＳ２２で取得した予約情報に複数の検査対象端末２に関する持込予約が含まれる場合、検査端末３は、ステップＳ２６までの処理を実行した後、全ての検査対象端末２における検査処理を完了するまでステップＳ２３から処理を繰り返し実行する。
【００６２】
本実施形態において、検査対象項目は、セキュリティ検査の基準となるパラメータ設定等を含まない構成としたが、例えば、抽出プログラム記録媒体４は、更に検査プログラム３９を格納し、検査対象端末２は、検査対象情報の抽出処理に加えて各項目の判定処理を実行してもよい。
【符号の説明】
【００６３】
１  セキュリティ検査システム
２  検査対象端末
３  検査端末
４  抽出プログラム記録媒体
２１  演算装置（ＣＰＵ）
２２  主記憶装置（ＲＡＭ）
２３  補助記憶装置
２４  通信装置
２５  入力装置
２６  表示部
２７  バス
２８  オペレーティングシステム（ＯＳ）
２９  抽出プログラム
３１  演算装置（ＣＰＵ）
３２  主記憶装置（ＲＡＭ）
３３  補助記憶装置
３４  通信装置
３５  入力装置
３６  出力装置
３７  バス
３８  オペレーティングシステム（ＯＳ）
３９  検査プログラム
４１  抽出手段
４２  表示手段
３０１  基準情報登録手段
３０２  取得手段
３０３  判定手段
３０５  出力手段
５  記憶部ＤＢ
５１  入場管理情報記憶部
５２  基準情報記憶部
【要約】      （修正有）【課題】安全、かつ、効率よく端末装置におけるセキュリティ状態を検査し、セキュリティ状態が不十分な端末装置のネットワーク接続を防止するためのセキュリティ検査システム及びセキュリティ検査方法を提供する。【解決手段】セキュリティ検査システム１は、検査対象端末及び検査端末を備える。検査対象端末は、抽出手段及び表示手段を備える。抽出手段は、検査対象端末における検査対象情報を抽出する。表示手段は、抽出された検査対象情報を２次元コードに変換し、検査対象端末の表示部に表示する。検査端末は、基準情報登録手段、取得手段及び判定手段を備える。基準情報登録手段は、セキュリティ状態の基準を示す基準情報を記憶部に格納する。取得手段は、表示部に表示される２次元コードを読み取ることで検査対象情報を取得する。判定手段は、取得した前記検査対象情報が基準情報を満たすか否かを判定する。【選択図】図１【図１】
0006915183.tif 000002
【図２】
0006915183.tif 000003
【図３】
0006915183.tif 000004
【図４】
0006915183.tif 000005
【図５】
0006915183.tif 000006
【図６】
0006915183.tif 000007
【図７】
0006915183.tif 000008